(57)【要約】【目的】パッドと梯子の接地面との間で反力により梯子を突っ張り状態で屋根の軒端部などに対して固定し、梯子の転倒及び横方向のぐらつきを防止して高所作業の安全を図る【構成】梯子１を立て掛ける構造物の略水平な下面に圧接可能なパッド１１を上端に備えた第１の部材１２と、梯子に固定される第２の部材１３と、第１の部材のパッド面を常に略水平に保持しつつ上下に移動可能に第１の部材と第２の部材とを連結するリンク手段１４とを有する梯子安定装置１０である。梯子を構造物に所定の傾斜角度で立て掛けたときに第１の部材のパッド面が構造物の略水平な下面に圧接し、該パッド面と梯子の踏面との間に生ずる反力によって梯子を安定する。バネ２３で第１の部材を上昇させる方向の付勢力を与えることにより該反力が得られる。【選択図】図１
2006207173.tif 000002
【特許請求の範囲】
【請求項１】
梯子を立て掛ける構造物の略水平な下面に圧接可能なパッドを上端に備えた第１の部材と、梯子に固定される第２の部材と、第１の部材のパッド面を常に略水平に保持しつつ上下に移動可能に第１の部材と第２の部材とを連結するリンク手段とを有し、梯子を構造物に所定の傾斜角度で立て掛けたときに第１の部材のパッド面が構造物の略水平な下面に圧接し、該パッド面と梯子の踏面との間に生ずる反力によって梯子を安定することを特徴とする梯子安定装置。
【請求項２】
第２の部材が、梯子の一対の支柱に架け渡された状態で該支柱の裏面に当接する当て板と、梯子の任意の踏ざんを係止するフック状の係止部材と、踏ざんを係止した係止部材を当て板に固定するための固定手段とを備えることを特徴とする、請求項１記載の梯子安定装置。
【請求項３】
第２の部材が梯子の一対の支柱に対してスライド移動可能に取り付けられることを特徴とする、請求項１記載の梯子安定装置。
【請求項４】
第２の部材が、梯子の一対の支柱に架け渡された状態で該支柱の裏面に当接する当て板と、梯子の任意の踏ざんの内部に挿入されて貫通する挿入パイプと、踏ざんを貫通した挿入パイプの両端を支持するべく当て板に一体に設けられた一対のブラケットと、踏ざんを貫通した挿入パイプの軸方向移動及び回転を防止する移動防止手段とを備えることを特徴とする、請求項１記載の梯子安定装置。
【請求項５】
第１の部材の上端に設けられるパッドが、ウレタン材、ライニング材及びディスク材を含む高摩擦係数材料で形成されることを特徴とする、請求項１ないし４のいずれか記載の梯子安定装置。
【請求項６】
第１の部材を上昇させる方向に付勢力を与える付勢手段が設けられ、梯子を構造物に所定の傾斜角度で立て掛けたときに付勢手段による付勢力によって第１の部材のパッド面が構造物の略水平な下面に圧接していることを特徴とする、請求項１ないし５のいずれか記載の梯子安定装置。
【請求項７】
第１の部材と第２の部材とを連結するリンク手段の角度を数段階に可変にすることによってパッドの高さ位置を調節する高さ調節機構を備えることを特徴とする、請求項１ないし６のいずれか記載の梯子安定装置。
【請求項８】
高さ調節機構が、さらに、リンク手段の長さを数段階に可変にすることによってパッドの高さ位置を微調節する微調節手段を備えることを特徴とする、請求項７記載の梯子安定装置。
【発明の詳細な説明】
【技術分野】
【０００１】
本発明は、高所作業用に屋根の軒端部などに立て掛けた梯子を安定化させて作業の安全を図るための梯子安定装置に関する。
【背景技術】
【０００２】
建物の建築現場や塗装現場などにおける高所作業のために、屋根の軒端部などに梯子を立て掛けることが行われている。梯子の立て掛け角度は一般に約７５度とし、且つ、はしごに登る作業者の他に大人の補助者が梯子を支えて接地点がずれないようにして使うことが基準とされているものの、実際には作業者一人で（補助者なしで）作業することが多く、転倒事故が頻発しているのが現状である。
【０００３】
このような現状を踏まえて、梯子を屋根の軒端部などに固定して転倒を防止するための梯子用転倒防止具が下記特許文献１に記載されている。この転倒防止具は、梯子に着脱自在に取り付けられる本体と、該本体に対して回動自在であって軒端部などの突出物に下方から当接する可動部とを備えており、本体を取り付けた梯子を所定角度で立て掛けた後、地上からのロープ操作によって可動部を回転（上昇）させてパッドを突出部の下面に当接し、その位置で可動部をロックさせることで梯子を建物に固定するようにしている。
【特許文献１】特開２００３−２６２０８２号公報
【発明の開示】
【発明が解決しようとする課題】
【０００４】
しかしながら、上記従来技術によると、梯子使用時には可動部がロック状態にあり、パッドを突出部下面に対して圧接させる方向の力が働かない。このため、パッドと梯子の踏面（接地面）とに反力が生ずることが無く、これらの間に梯子を突っ張り状態で安定して設置することができず、梯子の転倒事故を防止することができたとしても、横方向にぐらつくことを防止することができない。
【０００５】
また、この従来技術によると、可動部のロック状態を解除するための第１の操作ロープと、この第１の操作ロープを引き下げることにより可動部をアンロック状態としながら可動部をバネ付勢に抗して突出部下面から引き離す方向に回転させるための第２の操作ロープが、各々地上から操作可能なように垂れ下げられている。このため、梯子を利用して高所作業をしているときに、何らかの要因でこれら第１及び第２のロープが同時に引き下げられてしまうと、パッドが突出部下面から離れ、横方向のぐらつきが大きくなり、場合によっては転倒防止効果も失われてしまう。
【０００６】
したがって、本発明が解決しようとする課題は、パッドと梯子の接地面との間で反力により梯子を突っ張り状態で安定して屋根の軒端部などに対して固定することができ、転倒及び横方向のぐらつきを防止して高所作業の安全を図ることのできる、新規な構成の梯子安定装置を提供することにある。
【課題を解決するための手段】
【０００７】
この課題を達成するため、請求項１にかかる本発明は、梯子を立て掛ける構造物の略水平な下面に圧接可能なパッドを上端に備えた第１の部材と、梯子に固定される第２の部材と、第１の部材のパッド面を常に略水平に保持しつつ上下に移動可能に第１の部材と第２の部材とを連結するリンク手段とを有し、梯子を構造物に所定の傾斜角度で立て掛けたときに第１の部材のパッド面が構造物の略水平な下面に圧接し、該パッド面と梯子の踏面との間に生ずる反力によって梯子を安定することを特徴とする梯子安定装置である。
【０００８】
請求項２にかかる本発明は、請求項１記載の梯子安定装置において、第２の部材が、梯子の一対の支柱に架け渡された状態で該支柱の裏面に当接する当て板と、梯子の任意の踏ざんを係止するフック状の係止部材と、踏ざんを係止した係止部材を当て板に固定するための固定手段とを備えることを特徴とする。
【０００９】
請求項３にかかる本発明は、請求項１記載の梯子安定装置において、第２の部材が梯子の一対の支柱に対してスライド移動可能に取り付けられることを特徴とする。
【００１０】
請求項４にかかる本発明は、請求項１記載の梯子安定装置において、第２の部材が、梯子の一対の支柱に架け渡された状態で該支柱の裏面に当接する当て板と、梯子の任意の踏ざんの内部に挿入されて貫通する挿入パイプと、踏ざんを貫通した挿入パイプの両端を支持するべく当て板に一体に設けられた一対のブラケットと、踏ざんを貫通した挿入パイプの軸方向移動及び回転を防止する移動防止手段とを備えることを特徴とする。
【００１１】
請求項５にかかる本発明は、請求項１ないし４のいずれか記載の梯子安定装置において、第１の部材の上端に設けられるパッドが、ウレタン材、ライニング材及びディスク材を含む高摩擦係数材料で形成されることを特徴とする。
ことを特徴とする。
【００１２】
請求項６にかかる本発明は、請求項１ないし５のいずれか記載の梯子安定装置において、第１の部材を上昇させる方向に付勢力を与える付勢手段が設けられ、梯子を構造物に所定の傾斜角度で立て掛けたときに付勢手段による付勢力によって第１の部材のパッド面が構造物の略水平な下面に圧接していることを特徴とする。
【００１３】
請求項７にかかる本発明は、請求項１ないし６のいずれか記載の梯子安定装置において、第１の部材と第２の部材とを連結するリンク手段の角度を数段階に可変にすることによってパッドの高さ位置を調節する高さ調節機構を備えることを特徴とする。
【００１４】
請求項８にかかる本発明は、請求項７記載の梯子安定装置において、高さ調節機構が、さらに、リンク手段の長さを数段階に可変にすることによってパッドの高さ位置を微調節する微調節手段を備えることを特徴とする。
【発明の効果】
【００１５】
請求項１にかかる本発明によれば、梯子を構造物に所定の傾斜角度で立て掛けたときに、第１の部材のパッド面が構造物の略水平な下面に圧接し、該パッド面と梯子の踏面との間に生ずる反力によって梯子を安定することができるので、梯子を利用して高所作業を行っているときに、地面で梯子を支える補助者がいなくても、梯子が転倒したりぐらついたりすることがなく、作業の安全を図ることができる。
【００１６】
請求項２にかかる本発明によれば、梯子の任意の踏ざんにフック状係止部材を係止し、該状態でフック状係止部材を当て板に固定するので、梯子に対して梯子安定装置を確実且つ不動に固定することができる。
【００１７】
請求項３にかかる本発明によれば、第２の部材が梯子に対してスライド可能に取り付けられるので、梯子を構造物に所定の傾斜角度で立て掛けたときに、第１の部材のパッド面が構造物の略水平な下面に圧接して該パッド面と梯子の踏面との間に反力が生ずることを確実にするような高さ位置にパッドを位置付けることが容易となる。
【００１８】
請求項４にかかる本発明によれば、梯子の任意の踏ざんの内部に挿入パイプを挿入且つ貫通させ、しかもその軸方向移動及び回転のいずれもが不能なような形態で当て板が取り付けられるので、梯子に対して梯子安定装置を確実且つ不動に固定することができる。
【００１９】
請求項５にかかる本発明によれば、パッドが高摩擦係数材料で形成されるので、梯子を立て掛けた構造物の下面に対してパッドが確実且つ不動に圧接し、前記反力による転倒防止及びぐらつき防止の効果を確実に発揮することができる。
【００２０】
請求項６にかかる本発明によれば、第１の部材を上昇させる方向に付勢力を与える付勢手段が設けられるので、梯子を構造物に所定の傾斜角度で立て掛けたときに、その付勢力によってパッド面を構造物の下面に圧接させることができ、パッド面と梯子踏面との間により一層効果的は反力を与えることができる。
【００２１】
請求項７にかかる本発明によれば、パッドの高さ位置を数段階に調節することができるので、梯子を構造物に所定の傾斜角度で立て掛けたときに、第１の部材のパッド面が構造物の略水平な下面に圧接して該パッド面と梯子の踏面との間に反力が生ずることを確実にするような高さ位置にパッドを位置付けることが容易となる。
【００２２】
請求項８にかかる本発明によれば、さらにパッドの高さ位置を微調節することができるので、梯子を構造物に所定の傾斜角度で立て掛けたときに、第１の部材のパッド面が構造物の略水平な下面に圧接して該パッド面と梯子の踏面との間に反力が生ずることを確実にするような高さ位置にパッドを位置付けることがより一層容易となる。
【発明を実施するための最良の形態】
【００２３】
本発明の梯子安定装置について、図面を参照して実施例を挙げて詳述する。
【実施例１】
【００２４】
図１及び図２に示す実施例１の梯子安定装置１０は、上面にパッド１１を備えた略Ｕ字形の可動部材１２と、梯子１の任意の踏ざん２に固定される固定部材１３と、これらを連結する平行リンク１４とを有する。パッド１１は摩擦係数の大きな材料、たとえばウレタン材、ライニング材、ディスク材などで形成されることが好ましい。
【００２５】
固定部材１３は、梯子１の下面側において支柱３，３間に架け渡される幅広の当て板１５と、この当て板１５の左右に形成された横長スロット１６，１６を貫通するボルト軸１７ａが梯子１の下面側に突出すると共にその先端のフック１７ｂが梯子踏ざん２に係止される係止部材１７と、係止部材１７のボルト軸１７ａに螺合して当て板１５を梯子１に固定するためのナット１８とを有している。係止部材１７及びナット１８はそれぞれ梯子１の支柱３，３に近接した位置で一対用いられ、横長スロット１６，１６により若干の左右方向位置調整を可能にしている。また、当て板１５の中央には所定間隔を隔てて一対の垂直板１９，１９が固定されている。
平行リンク１４はそれぞれ左右一対の平行な下方リンクアーム２０，２０と上方リンクアーム２１，２１を有する。各リンクアーム２０，２１は一対の垂直板１９，１９の間に位置し、可動部材１２の両側板１２ａ，１２ａを挟んでおり、可動部材１２を、そのパッド１１面を常に略水平に維持しながら固定部材１３に対して昇降可能に連結している。この実施形態では、梯子１を立て掛ける角度（当て板１５の傾斜角度）が７５度のときにパッド１１面が略水平になるように構成されている。
【００２６】
下方リンクアーム２０，２０の固定部材１３側の回転中心となる支軸２２には左右一対の反力バネ２３，２３が巻回されており、これにより可動部材１２を下限位置（図１に実線で図示）から上限位置（同図に仮想線で図示）に向けて上昇させる方向の付勢力を常に与えている。反力バネ２３の一端は当て板１５に接しており、他端は垂直板１９，１９間に固定されたストッパ２４に係止されている。
【００２７】
以上のように構成された梯子安定装置１０の用法及び作用について、さらに図３を参照して説明する。
【００２８】
まず、梯子１を軒や横架材などの水平構造物４に傾斜角θ１＝６０〜７０度位で仮に立て掛け、その状態で該構造物４の下方に近接した位置にある踏ざん２を梯子安定装置１０を取り付けるべき踏ざん２として決定する。
【００２９】
そして、梯子１を一旦下ろして、梯子安定装置１０を取り付けるものとして決定した踏ざん２に係止部材１７の先端フック１７ｂを掛け、ナット１８をそのボルト軸１７ａに締め付けて当て板１５を梯子１の下面側に固定し、梯子１の下端（滑り止めユニット５が嵌着されている）をＡ位置で接地させる。このときパッド１１は構造物の下面４ａの直下に近接して位置している。
【００３０】
その後、梯子１を手で押し込んでその接地点をＡからＢに移動させ、梯子１の傾斜角をθ２＝約７５度とする。梯子１の傾斜角度がθ１からθ２へと大きくなることにより梯子安定装置１０が取り付けられた踏ざん２の位置が高くなり、パッド１１が構造物下面４ａに圧接して、構造物下面４ａと踏面６との間で反力バネ２３の反力が作用する。つまり、パッド１１を含む可動部材１２が、図１に仮想線で示される上限位置から反力バネ２３の付勢力に抗して実線で示される下限位置に向けて押し下げられた状態となって、パッド１１が構造物下面４ａに圧接される。また、梯子支柱３，３に若干の撓みが生ずるため、これによって生ずる反力も加わって圧接力が増大する。したがって、梯子１が構造物下面４ａと踏面６との間に突っ張り状態で不動に固定される。
【実施例２】
【００３１】
図４乃至図６に示される実施例２の梯子安定装置３０は、上面にパッド３１を備えた略Ｕ字形の可動部材３２と、梯子１の任意の踏ざん２に固定される固定部材３３と、これらを連結する平行リンク３４とを有する。パッド３１は摩擦係数の大きな材料、たとえばウレタン材、ライニング材、ディスク材などで形成されることが好ましい。
【００３２】
固定部材３３は、梯子１の下面側において支柱３，３間に架け渡される幅広の当て板３５と、踏ざん２の内部に挿入されて水平方向に延長する挿入パイプ３６とを有している。当て板３５の左右両端から垂直に延長するブラケット３７（３７ａ，３７ｂ）が設けられ、これらブラケット３７は梯子１の支柱３，３の外側に位置している。挿入パイプ３６は踏ざん２の内部を貫通して梯子１の支柱３，３の外方に突出して、その一端を貫通するボルト３８が取り付けられると共に、その他端を貫通するスプリングピン４０が取り付けられる。ブラケット３７ｂの外側には、挿入パイプ３６を挿通可能なパイプ３９が溶接固定され、このパイプ３９には１８０度間隔で対向するＵ溝（符号なし）が形成され、このＵ溝にスプリングピン４０が収容される。挿入パイプ３６の取付に際しては、その一端にスプリングピン４０をセットした状態で他端側をパイプ３９及びブラケット３７ｂのパイプ挿通穴（符号なし）から踏ざん２の内部に挿入し、スプリングピン４０をパイプ３９の対向Ｕ溝の位置に合わせて再奥まで押し込み、ブラケット３７ａの外側に突出した挿入パイプ３６の他端にボルト３８を通して、挿入パイプ３６を固定する。この状態において、挿入パイプ３６はボルト３８及びスプリングピン４０によって軸方向移動不能であり、また、スプリングピン４０がパイプ３９の対向Ｕ溝に嵌合されていることによって回転不能である。
【００３３】
平行リンク３４はそれぞれ左右一対の平行な下方リンクアーム４１，４１と上方リンクアーム４２，４２を有する。各リンクアーム４１，４２は、当て板３５の中央に所定間隔を隔てて固定された一対の垂直板４３，４３の間に位置して、可動部材３２の両側板３２ａ，３２ａを挟んでおり、可動部材３２を、そのパッド３１面を常に略水平に維持しながら固定部材３３に対して昇降可能に連結している。この実施形態では、梯子１を立て掛ける角度（当て板３５の傾斜角度）が７５度のときにパッド３１面が略水平になるように構成されている。
【００３４】
この実施形態による梯子安定装置３０は、可動部材３２のパッド面３１の高さ調節機構を備えている。すなわち、下方リンクアーム４１，４１は軸４４で垂直板４３，４３に枢支されるが、軸４４に対して同心状に垂直板４３，４３に形成された複数の取付穴４５のいずれかに抜き差しピン４６をセットすることにより、垂直板４３，４３に対して固定され、平行リンク３４の角度が定まり、パッド３１の高さ位置が定まる。したがって、抜き差しピン４６をセットする取付穴４５を変えることにより、パッド３１の高さを変えることができる。図４において、抜き差しピン４６を中央の取付穴４５にセットした場合のパッド３１位置が実線で示されており、これを上方及び下方の取付穴４５にセットした場合のパッド位置が仮想線で示されている。取付穴４５の数や角度間隔は任意であり、より多数の取付穴４５を設けることによってパッド３１が取り得る高さ位置をより多数に設定することができ、また、取付穴４５の角度間隔を変えることによってパッド３１の高さ位置間隔を変えることができる。
【００３５】
さらに、この実施形態では、下方リンクアーム４１及び上方リンクアーム４２に、可動部材３２との連結軸４７，４８を取り付けるべき軸穴４９ａ，４９ｂをそれぞれ等間隔に形成して、それら軸穴のいずれかに連結軸４７，４８を取り付けて可動部材３２との連結を行うようにしている。したがって、抜き差しピン４６をセットする取付穴４５の選択によって大まかに調節されたパッド高さ位置を、さらに軸穴４９ａ，４９ｂの選択によって微調節することができる。軸穴４９ａ，４９ｂの数や間隔は任意であり、より多数の軸穴４９ａ，４９ｂを設けることによってこの微調節によってパッド３１が取り得る高さ位置をより多数に設定することができ、また、軸穴４９ａ，４９ｂの間隔を変えることによってこの微調節によるパッド３１の高さ位置間隔を変えることができる。
【００３６】
以上のように構成された梯子安定装置３０の用法について説明すると、梯子１を軒や横架材などの水平構造物４に傾斜角θ１＝６０〜７０度位で仮に立て掛け、その状態で該構造物４の下方に近接した位置にある踏ざん２を梯子安定装置３０を取り付けるべき踏ざん２として決定した後、一旦梯子１を地面に下ろして、その踏ざん２に近い位置において両側の支柱３，３の下面側に当て板３５を架け渡した状態にして、既述したようにして挿入パイプ３６を該踏ざん２に挿入し且つ固定ボルト３８及びスプリングピン３９によって不動に固定する。このようにして該踏ざん２に梯子安定装置３０が固定された梯子１を再度傾斜角θ１＝６０〜７０度位で立て掛ける。このときにパッド３１が構造物下面４ａに当たってしまったり、あるいはその下方に遠く離れているような場合は、既述したパッド高さ調節機構を通じて適正な高さ位置に調節する。パッド３１が構造物下面４ａの直下に位置していることを確認した後、梯子１の下端を押し込むことによって、その傾斜角度をθ２＝約７５度とする。梯子１の傾斜角度がθ１からθ２へと大きくなることにより梯子安定装置３０が取り付けられた踏ざん２の位置が高くなるので、パッド１１が構造物下面４ａに圧接し、梯子支柱３，３に撓みが生ずることによって構造物下面４ａと踏面６との間に作用する反力が生じ、梯子１が構造物下面４ａと踏面６との間に突っ張り状態で不動に固定される。
【実施例３】
【００３７】
図７乃至図９に示される実施例３の梯子安定装置５０は、上面にパッド５１を備えた略Ｕ字形の可動部材５２と、梯子１の支柱３，３に上下に摺動可能に固定される固定部材５３と、これらを連結する平行リンク５４とを有する。パッド５１、可動部材５２及び平行リンク５４については実施例１の梯子安定装置１０におけるパッド１１、可動部材１２及び平行リンク１４と同様であるので説明を省略する。また、固定部材５３と平行リンク５４との連結構成及び反力バネ５５についても実施例１の梯子安定装置１０における固定部材１３と平行リンク１４との連結構成及び反力バネ２３と同様であるので説明を省略する。
【００３８】
この梯子安定装置５０が実施例１の梯子安定装置１０と異なる点は、固定部材５３を介して梯子安定装置５０を梯子１に固定するための構造及び方式にある。固定部材５３は、実施例１の梯子安定装置１０における当て板１５と略同様の当て板５６を有するが、その両端に、支柱３，３を摺動可能に嵌合するコ字状嵌合部５７（５７ａ，５７ｂ）が形成されている。各コ字状嵌合部５７は、当て板５６の幅方向端部から直角に折り曲げられて支柱３の平面部３ａと平行に延長する側面部５８と、側面部５８の先端から直角に折り曲げられて当て板５６と平行に延長する折り返し面部５９とを有する。当て板５６と折り返し面部５９との間の間隔は支柱３の幅寸法と略同一であり、支柱３がコ字状嵌合部５７に嵌合されたときに、その両フランジ面３ｂ，３ｂが当て板５６と折り返し面部５９の内側面にそれぞれ略当接する位置関係となる。支柱３のフランジ面３ｂ，３ｂの各先端は内方に折り曲げられて突出部３ｃ，３ｃを形成しており、折り返し面部５９の先端箇所及び当て板５６における対応箇所の内側面には、それぞれ該突出部３ｃ，３ｃを係合するための係合片６０，６０が固着されている。この係合片６０，６０と支柱突出部３ｃ，３ｃとの係合を介して、固定部材５３が支柱３，３に対して梯子長手方向に摺動可能に取り付けられる。
【００３９】
当て板５６の一方のコ字状嵌合部５７ａの側面部５８には２つ（または所望であればより多数）のネジ穴（符号なし）が形成され、各ネジ穴に締付ノブ６１のボルト軸を螺着して締め付け、その先端に取り付けたウレタンパッド６２を支柱３の平面部３ａに押し付けることによって固定部材５３を梯子１に固定し、その取付位置を不動に保持することができる。
【００４０】
このような固定部材５３によれば、梯子安定装置５０の梯子１に対する固定位置を任意に選定することができ、締付ノブ６１を緩めれば支柱３，３に沿ってスライドさせることができるので位置調整も容易である。また、踏ざん２の位置とは無関係に任意の高さ位置に梯子安定装置５０を固定することができる。
【００４１】
以上のように構成された梯子安定装置５０の用法及び作用について説明すると、梯子１を軒や横架材などの水平構造物４に傾斜角θ１＝６０〜７０度位で仮に立て掛け、その状態で図７に仮想線で示されるパッド５１が該構造物４の下方に近接した高さ位置となるよう、梯子安定装置５０を取り付けるべき位置の目処を付けた後、一旦梯子１を地面に下ろして、その位置に梯子安定装置５０をスライドさせた後に固定する。この固定は、締付ノブ６１を締め付けて先端のウレタンパッド６２を支柱の側面に押し付けることによって行う。このようにして梯子１の支柱３，３に対して所定の高さ位置で梯子安定装置５０を固定した後、梯子１を再度傾斜角角θ１＝６０〜７０度位で立て掛ける。このときにパッド５１が構造物下面４ａに当たってしまったり、あるいはその下方に遠く離れているような場合は、締付ノブ６１を緩めて適正な高さ位置にスライド移動した後、再度締付ノブ６１を締め付けて該位置に固定する。パッド５１が構造物下面４ａの直下に位置していることを確認した後、梯子１の下端を押し込むことによって、その傾斜角度をθ２＝約７５度とする。梯子１の傾斜角度がθ１からθ２へと大きくなることにより、構造物下面４ａと踏面６との間で反力バネ２３の反力が作用する。つまり、パッド５１を含む可動部材５２が、図７に仮想線で示される上限位置から反力バネ５５の付勢力に抗して実線で示される下限位置に向けて押し下げられた状態となって、パッド５１が構造物下面４ａに圧接される。また、梯子支柱３，３に若干の撓みが生ずるため、これによって生ずる反力も加わって圧接力が増大する。したがって、梯子１が構造物下面４ａと踏面６との間に突っ張り状態で不動に固定される。
【図面の簡単な説明】
【００４２】
【図１】本発明の一実施形態による梯子安定装置の側面図である。
【図２】この梯子安定装置の正面図である。
【図３】この実施形態による梯子安定装置の用法及び作用を説明する図である。
【図４】本発明の別の実施形態による梯子安定装置の側面図である。
【図５】この梯子安定装置の正面図である。
【図６】この梯子安定装置の上面図である。
【図７】本発明のさらに別の実施形態による梯子安定装置の側面図である。
【図８】この梯子安定装置の正面図である。
【図９】この梯子安定装置における固定部材と支柱との嵌合状態を示す拡大図である。
【符号の説明】
【００４３】
１  梯子
２  梯子の踏ざん
３  梯子の支柱
４  水平構造物
５  滑り止めユニット
６  踏面
１０  梯子安定装置
１１  パッド
１２  可動部材（第１の部材）
１３  固定部材（第２の部材）
１４  平行リンク（リンク手段）
１５  当て板
１６  横長スロット
１７  係止部材
１８  ナット（固定手段）
１９  垂直板
２０  下方リンクアーム
２１  上方リンクアーム
２２  支軸
２３  反力バネ（付勢手段）
２４  ストッパ
３０  梯子安定装置
３１  パッド
３２  可動部材（第１の部材）
３３  固定部材（第２の部材）
３４  平行リンク（リンク手段）
３５  当て板
３６  挿入パイプ
３７（３７ａ，３７ｂ）  ブラケット
３８  ボルト
３９  パイプ
４０  スプリングピン
４１  下方リンクアーム
４２  上方リンクアーム
４３  垂直板
４４  軸
４５  取付穴
４６  抜き差しピン
４７  連結軸
４８  連結軸
４９ａ，４９ｂ  軸穴
５０  梯子安定装置
５１  パッド
５２  可動部材
５３  固定部材
５４  平行リンク
５５  反力バネ
５６  当て板
５７  コ字状嵌合部
５８  側面部
５９  折り返し面部
６０  係合片
６１  締付ノブ
６２  ウレタンパッド
【図１】
2006207173.tif 000003
【図２】
2006207173.tif 000004
【図３】
2006207173.tif 000005
【図４】
2006207173.tif 000006
【図５】
2006207173.tif 000007
【図６】
2006207173.tif 000008
【図７】
2006207173.tif 000009
【図８】
2006207173.tif 000010
【図９】
2006207173.tif 000011